(57)【要約】【課題】電源に異常が生じた際に、出力の変動を抑制しつつ電源の供給を継続することができる。【解決手段】電源供給回路をスイッチ手段１と、変換手段２と、経路切替手段３と、監視手段４と、スイッチ制御手段５を備える構成とする。スイッチ手段１は、異なる電源相に接続された少なくとも３本の電源線において、スイッチを切り替える。変換手段２は、電源線ごとにスイッチ手段１よりも後段に備えられ、交流電源を直流電源に変換する。経路切替手段３は、スイッチ手段１の後段において２本の電源線を接続する接続線に備えられ、接続する２本の電源線間のスイッチを切り替える。監視手段４は、変換手段２に入力される電源の異常の有無を監視する。スイッチ制御手段５は、異常を検知した電源相のスイッチ手段１を切断状態とする。また、スイッチ制御手段５は、正常ないずれかの電源線と、異常が生じた電源線の間の経路切替手段３を接続状態とする。【選択図】      図１
2019165565.tif 000002
【特許請求の範囲】
【請求項１】
それぞれ異なる電源相に接続された少なくとも３本の電源線において、電気的な接続状態と切断状態とを切り替えるスイッチ手段と、
前記電源線ごとに前記スイッチ手段よりも後段に備えられ、前記電源線を介して入力される交流電源を直流電源に変換する変換手段と、
前記スイッチ手段と前記変換手段との間において前記電源線のうち２本ずつをそれぞれ接続する導電線である接続線に備えられ、接続する２本の前記電源線間の電気的な接続状態と切断状態とを切り替える経路切替手段と、
前記変換手段に入力される電源の異常の有無を監視する監視手段と、
前記監視手段が異常を検知したときに、前記異常を検知した前記電源相に接続された前記電源線の前記スイッチ手段を切断状態とし、
正常に電源が供給されているいずれかの前記電源線と、異常が生じた前記電源線の間の前記接続線の前記経路切替手段を接続状態とするスイッチ制御手段と、
を備えることを特徴とする電源供給回路。
【請求項２】
前記制御手段は、全ての前記電源相からの電源供給が正常であるときに、全ての前記スイッチ手段を接続状態とし、全ての前記経路制御手段を切断状態とすることを特徴とする請求項１に記載の電源供給回路。
【請求項３】
前記変換手段において消費電流値を計測する計測手段をさらに備え、
前記スイッチ制御手段は、正常に電源が供給されている前記電源線のうち前記消費電流値が最も低い前記電源線と、異常が生じた前記電源線の間の前記接続線の前記経路切替手段を接続状態とすることを特徴とする請求項１または２に記載の電源供給回路。
【請求項４】
前記計測手段が計測する前記消費電流値を記憶する記憶手段をさらに備え、
前記スイッチ制御手段は、前記記憶手段に記憶された前記消費電流値を基に、前記消費電流値の所定の時間の平均値を算出し、算出した前記平均値を基に接続状態とする前記経路切替手段を判断することを特徴とする請求項３に記載の電源供給回路。
【請求項５】
第１の電源相に接続された第１の電源線を介して入力される交流電源を直流電源に変換して出力する第１のＡＣ／ＤＣコンバータと、
前記第１の電源相とは異なる第２の電源相に接続された第２の電源線を介して入力される交流電源を直流電源に変換して出力する第２のＡＣ／ＤＣコンバータと、
前記第１の電源相および前記第２の電源相とは異なる第３の電源相に接続された第３の電源線を介して入力される交流電源を直流電源に変換して出力する第３のＡＣ／ＤＣコンバータと、
前記第１の電源線上において電気的な接続された状態と切断された状態とを切り替える第１のスイッチと、
前記第２の電源線上において電気的な接続された状態と切断された状態とを切り替える第２のスイッチと、
前記第３の電源線上において電気的な接続された状態と切断された状態とを切り替える第３のスイッチと、
前記第１の電源線の前記第１のスイッチよりも出力側と、前記第２の電源線の前記第２のスイッチよりも出力側とを電気的に接続する第１の接続線において電気的な接続された状態と切断された状態とを切り替える第１の経路切替スイッチと、
前記第２の電源線の前記第２のスイッチよりも出力側と、前記第３の電源線の前記第３のスイッチよりも出力側とを電気的に接続する第２の接続線上において電気的な接続された状態と切断された状態とを切り替える第２の経路切替スイッチと、
前記第３の電源線の前記第３のスイッチよりも出力側と、前記第１の電源線の前記第１スイッチよりも出力側とを電気的に接続する第３の接続線上において電気的な接続された状態と切断された状態とを切り替える第３の経路切替スイッチと、
いずれかのＡＣ／ＤＣコンバータに入力される電源供給に異常が生じたときに、異常が生じたＡＣ／ＤＣコンバータに接続されている電源線のスイッチを切断状態とし、前記スイッチが切断状態となった前記電源線と、他の電源線を接続するいずれかの接続線上の経路切替スイッチを接続状態とするスイッチ制御回路と
を備えることと特徴とする電源供給回路。
【請求項６】
前記第１の電源相、前記第２の電源相および前記第３の電源相の電源供給が正常であるときに、
前記スイッチ制御回路は、前記第１のスイッチ、前記第２のスイッチおよび前記第３のスイッチを接続常態とし、前記第１の経路切替スイッチ、前記第２の経路切替スイッチおよび前記第３の経路切替スイッチを切断状態とすることを特徴とする請求項５に記載の電源供給回路。
【請求項７】
前記ＡＣ／ＤＣコンバータごとに消費電流値をそれぞれ計測する計測回路を備え、
前記スイッチ制御回路は、前記第１の電源相の電源供給に異常が生じたときに、前記第２の電源線または前記第３の電源線の出力側において、前記計測回路によって計測される消費電力値が低い電源線と前記第１の電源線が接続されるように、前記第１の経路切替スイッチおよび前記第３の経路切替スイッチを制御することを特徴とする請求項５または６に記載の電源供給回路。
【請求項８】
前記計測回路が計測する前記消費電流値を記憶するメモリをさらに備え、
前記スイッチ制御回路は、前記メモリに記憶された前記消費電流値を基に、前記消費電流値の所定の時間の平均値を算出し、算出した前記平均値を基に接続状態とする前記経路切替スイッチを判断することを特徴とする請求項７に記載の電源供給回路。
【請求項９】
それぞれ異なる電源相に接続され、電気的な接続状態と切断状態とを切り替える第１のスイッチをそれぞれ有する少なくとも３本の電源線を介して入力される交流電源を直流電源に変換して出力し、
交流電源を直流電源に変換する際に、前記電源線それぞれに供給されている電源の異常の有無を監視し、
異常を検知したときに、前記異常を検知した前記電源相に接続された前記電源線の前記スイッチを切断状態とし、
正常に電源が供給されているいずれかの前記電源線と、異常が生じた前記電源線の間の前記接続線に備えられている第２のスイッチを接続状態として、
正常に電源が供給されている前記電源線から異常が生じた前記電源線に電源を供給することを特徴とする電源供給方法。
【請求項１０】
全ての前記電源相からの電源供給が正常であるときに、全ての前記第１のスイッチを接続状態とし、全ての前記第２のスイッチを切断状態とすることを特徴とする請求項９に記載の電源供給方法。
【発明の詳細な説明】
【技術分野】
【０００１】
本発明は、多相電源の供給回路に関するものであり、特に、電源供給の安定化に関するものである。
【背景技術】
【０００２】
情報処理システムへの給電設備として三相四線型の交流電源による給電システムが用いられることがある。そのような給電システムでは、各電源相の交流電源をＡＣ／ＤＣコンバータで直流電源に変換し、情報処理システムへの給電が行われる。各電源相に対応するＡＣ／ＤＣコンバータの出力をそれぞれ異なる装置やモジュールに接続することで、多くの機器に電源を供給することができる。そのような電源システムにおいて、いずれかの電源相に異常が生じた場合には、対応するＡＣ／ＤＣコンバータが停止し、接続されている機器への電源供給が突然停止し得る。情報処理システムの各機器への電源が停止すると、データ消失等が生じ、異常部の交換などを含め情報処理システムの復旧に時間を要する恐れがある。そのため、三相四線型の給電システムにおいて、いずれかの電源相の供給に異常が生じた場合にも、電源の供給を出力変動を抑制して継続できる技術があることが望ましく、関連する技術の開発が行われている。そのような、電源の供給に異常が生じた場合にも、電源の供給を継続する技術としては、例えば、特許文献１のような技術が開示されている。
【０００３】
特許文献１は、三相交流電源に関するものである。特許文献１の三相交流電源は、後段の整流回路によって単相でも出力可能な機能を有している。特許文献１の三相交流電源は、欠相が生じた際に単相での運転に切り替えることで電源の供給を継続することができるとしている。
【先行技術文献】
【特許文献】
【０００４】
【特許文献１】特開２００７−３２９９８０号公報
【発明の概要】
【発明が解決しようとする課題】
【０００５】
しかしながら、特許文献１の技術は次のような点で十分ではない。特許文献１の三相交流電源は、いずれかの電源相に異常が生じた際に後段の整流回路において単相の出力への切り替えを行っている。そのような構成において異常を検出する場合には、異常を検出してから運転を切り替えるまでの間で、電圧の変動が大きくなる恐れがある。また、その影響を抑制すると後段の整流回路の構成が複雑になり得る。よって、特許文献１の技術は、電源に異常が生じた際に、出力の変動を抑制しつつ電源の供給を継続する技術としては十分ではない。
【０００６】
本発明は、上記の課題を解決するため、電源に異常が生じた際に、出力の変動を抑制しつつ電源の供給を継続することができる電源供給回路を提供することを目的としている。
【課題を解決するための手段】
【０００７】
上記の課題を解決するため、本発明の電源供給回路は、スイッチ手段と、変換手段と、経路切替手段と、監視手段と、スイッチ制御手段を備えている。スイッチ手段は、それぞれ異なる電源相に接続された少なくとも３本の電源線において、電気的な接続状態と切断状態とを切り替える。変換手段は、電源線ごとにスイッチ手段よりも後段に備えられ、電源線を介して入力される交流電源を直流電源に変換する。経路切替手段は、スイッチ手段と変換手段との間において電源線のうち２本ずつをそれぞれ接続する導電線である接続線に備えられ、接続する２本の電源線間の電気的な接続状態と切断状態とを切り替える。監視手段は、変換手段に入力される電源の異常の有無を監視する。スイッチ制御手段は、監視手段が異常を検知したときに、異常を検知した電源相に接続された電源線のスイッチ手段を切断状態とする。また、スイッチ制御手段は、正常に電源が供給されているいずれかの電源線と、異常が生じた電源線の間の接続線の経路切替手段を接続状態とする。
【０００８】
本発明の電源供給方法は、それぞれ異なる電源相に接続され、電気的な接続状態と切断状態とを切り替える第１のスイッチをそれぞれ有する少なくとも３本の電源線を介して入力される交流電源を直流電源に変換して出力する。本発明の電源供給方法は、交流電源を直流電源に変換する際に、電源線それぞれに供給されている電源の異常の有無を監視する。本発明の電源供給方法は、異常を検知したときに、異常を検知した電源相に接続された電源線のスイッチを切断状態とする。本発明の電源供給方法は、正常に電源が供給されているいずれかの電源線と、異常が生じた電源線の間の接続線に備えられている第２のスイッチを接続状態とする。本発明の電源供給方法は、正常に電源が供給されている電源線から異常が生じた電源線に電源を供給する。
【発明の効果】
【０００９】
本発明によると、電源に異常が生じた際に、出力の変動を抑制しつつ電源の供給を継続することができる。
【図面の簡単な説明】
【００１０】
【図１】本発明の第１の実施形態の構成の概要を示す図である。
【図２】本発明の第２の実施形態の構成の概要を示す図である。
【図３】本発明の第２の実施形態のＡＣ／ＤＣコンバータの構成を示す図である。
【図４】本発明の第２の実施形態の給電制御部の構成を示す図である。
【図５】本発明の第２の実施形態の給電制御回路の動作フローを示す図である。
【発明を実施するための形態】
【００１１】
（第１の実施形態）
本発明の第１の実施形態について図を参照して詳細に説明する。図１は、本実施形態の電源供給回路の構成の概要を示したものである。本実施形態の電源供給回路は、スイッチ手段１と、変換手段２と、経路切替手段３と、監視手段４と、スイッチ制御手段５を備えている。スイッチ手段１は、それぞれ異なる電源相に接続された少なくとも３本の電源線において、電気的な接続状態と切断状態とを切り替える。変換手段２は、電源線ごとにスイッチ手段１よりも後段に備えられ、電源線を介して入力される交流電源を直流電源に変換する。経路切替手段３は、スイッチ手段１と変換手段２との間において電源線のうち２本ずつをそれぞれ接続する導電線である接続線に備えられ、接続する２本の電源線間の電気的な接続状態と切断状態とを切り替える。監視手段４は、変換手段２に入力される電源の異常の有無を監視する。スイッチ制御手段５は、監視手段４が異常を検知したときに、異常を検知した電源相に接続された電源線のスイッチ手段１を切断状態とする。また、スイッチ制御手段５は、正常に電源が供給されているいずれかの電源線と、異常が生じた電源線の間の接続線の経路切替手段３を接続状態とする。
【００１２】
本実施形態の電源供給回路は、変換手段２において交流電源から直流電源に変換する際に、監視手段４において、電源の異常の有無を監視している。監視手段４において電源
の異常が検知されたとき、スイッチ制御手段５は、異常を検知した電源相に接続された電源線のスイッチ手段１を切断状態とすることで異常のある電源が変換手段２に入力されることを防止している。また、スイッチ制御手段５は、正常に電源が供給されている電源線と、異常が生じた電源線の間の接続線の経路切替手段３を接続状態とすることで異常が生じた電源線に接続されている変換手段２への電源の供給を継続させている。このような構成とすることで、本実施形態の電源供給回路は、供給させる電源の変動を抑制しつつ電源の供給を継続することができる。その結果、本実施形態の電源供給回路を用いることで電源に異常が生じた際に、出力の変動を抑制しつつ電源の供給を継続することができる。
【００１３】
（第２の実施形態）
本発明の第２の実施形態について図を参照して詳細に説明する。図２は、本実施形態の電源システムの構成の概要を示したものである。本実施形態の電源システムは、三相四線型の交流電源を、直流電源に変換する電源供給回路によって情報処理装置等の機器に電源を供給する給電設備である。本実施形態の電源システムは、Ｒ相、Ｓ相およびＴ相、すなわち、互いに位相が異なる第1の電源相、第２の電源相および第３の電源相の交流電源をそれぞれ対応するＡＣ／ＤＣコンバータで直流電源に変換して出力する。
【００１４】
本実施形態の電源システムは、Ｒ相電源部１１と、Ｓ相電源部１２と、Ｔ相電源部１３と、ニュートラル線１４と、第１のスイッチ１５と、第２のスイッチ１６と、第３のスイッチ１７を備えている。また、本実施形態の電源システムは、第１の経路切替スイッチ１８と、第２の経路切替スイッチ１９と、第３の経路切替スイッチ２０をさらに備えている。また、本実施形態の電源システムは、第１のＡＣ／ＤＣコンバータ３０−１と、第２のＡＣ／ＤＣコンバータ３０−２と、第３のＡＣ／ＤＣコンバータ３０−３と、給電制御部４０をさらに備えている。
【００１５】
Ｒ相電源部１１、Ｓ相電源部１２およびＴ相電源部１３は、外部の三相四線型の交流電源のＲ相、Ｓ相およびＴ相の電源相に対応する電源線にそれぞれ接続されている。また、ニュートラル線１４は、外部の三相四線型の交流電源の中性線と接続されている電源線である。
【００１６】
第１のスイッチ１５は、Ｒ相電源部１１と、第１のＡＣ／ＤＣコンバータ３０−１を電気的に接続する導電線である第１の電源線上に備えられている。第１のスイッチ１５は、給電制御部４０の制御に基づいて、Ｒ相電源部１１と第１のＡＣ／ＤＣコンバータ３０−１の間の電気的な接続の有無の切り替えを行うスイッチである。
【００１７】
第２のスイッチ１６は、Ｓ相電源部１２と、第２のＡＣ／ＤＣコンバータ３０−２を電気的に接続する導電線である第２の電源線上に備えられている。第２のスイッチ１６は、給電制御部４０の制御に基づいて、Ｓ相電源部１２と第２のＡＣ／ＤＣコンバータ３０−２の間の電気的な接続の有無の切り替えを行うスイッチである。
【００１８】
第３のスイッチ１７は、Ｔ相電源部１３と、第３のＡＣ／ＤＣコンバータ３０−３を電気的に接続する導電線である第３の電源線上に備えられている。第３のスイッチ１７は、給電制御部４０の制御に基づいて、Ｔ相電源部１３と第３のＡＣ／ＤＣコンバータ３０−３の間の電気的な接続の有無の切り替えを行うスイッチである。また、本実施形態の第１のスイッチ１５、第２のスイッチ１６および第３のスイッチ１７の機能は、第１の実施形態のスイッチ手段１に相当する。
【００１９】
第１の経路切替スイッチ１８は、第１の電源線と第２の電源線を接続する導電線である第１の接続線上に備えられている。第１の経路切替スイッチ１８は、第１の電源線と第２の電源線の電気的な接続の有無の切り替えを行うスイッチである。
【００２０】
第２の経路切替スイッチ１９は、第２の電源線と第３の電源線を接続する導電線である第２の接続線上に備えられている。第２の経路切替スイッチ１９は、第２の電源線と第３の電源線の電気的な接続の有無の切り替えを行うスイッチである。
【００２１】
第３の経路切替スイッチ２０は、第１の電源線と第３の電源線を接続する導電線である第３の接続線上に備えられている。第３の経路切替スイッチ２０は、第１の電源線と第３の電源線の電気的な接続の有無の切り替えを行うスイッチである。また、本実施形態の第１の経路切替スイッチ１８、第２の経路切替スイッチ１９および第３の経路切替スイッチ２０の機能は、第１の実施形態の経路切替手段３に相当する。
【００２２】
第１のＡＣ／ＤＣコンバータ３０−１、第２のＡＣ／ＤＣコンバータ３０−２および第３のＡＣ／ＤＣコンバータ３０−３の構成について説明する。図３は、第１のＡＣ／ＤＣコンバータ３０−１、第２のＡＣ／ＤＣコンバータ３０−２および第３のＡＣ／ＤＣコンバータ３０−３の構成をＡＣ／ＤＣコンバータ３０として示した図である。
【００２３】
ＡＣ／ＤＣコンバータ３０は、ＡＣ／ＤＣ変換部３１と、欠相検出部３２と、消費電流検出部３３をそれぞれ備えている。
【００２４】
ＡＣ／ＤＣ変換部３１は、入力される交流電源を直流電源に変換して出力する。また、本実施形態のＡＣ／ＤＣコンバータ３１の機能は、第１の実施形態の変換手段２に相当する。
【００２５】
欠相検出部３２は、ＡＣ／ＤＣ変換部３１に給電される交流電源の電圧を監視する機能を有する。欠相検出部３２は、ＡＣ／ＤＣ変換部３１に給電される交流電源の電圧があらかじめ設定された基準値以下であったときに、異常を検知したことを示す情報を異常検知信号として給電制御部４０に出力する。異常の検知を判断する電圧の基準値は、あらかじめ欠相検出部３２に保存されている。異常の検知を判断する電圧の基準値は、電源システムの出力電圧の規格に基づいて設定されている。異常の検知を判断する電圧の基準値は、異常の徴候を検出する電圧として設定されていてもよい。また、本実施形態の欠相検出部３２の機能は、第１の実施形態の監視手段４に相当する。
【００２６】
消費電流検出部３３は、ＡＣ／ＤＣコンバータ３０において消費される消費電流値を計測する。消費電流検出部３３は、計測した消費電流値の情報を消費電流値信号として給電制御部４０に出力する。
【００２７】
給電制御部４０の構成について説明する。図４は、本実施形態の給電制御部４０の構成を示した図である。本実施形態の給電制御部４０は、スイッチ動作制御部４１と、給電経路制御部４２と、記憶部４３を備えている。
【００２８】
スイッチ動作制御部４１は、給電経路制御部４２からの要求に基づいて各スイッチに電気的に接続状態であるオンと電気的に切断状態であるオフを切り替える制御信号を送る機能を有する。スイッチ動作制御部４１は、第１のスイッチ１５、第２のスイッチ１６および第３のスイッチ１７に、電気的に接続状態であるオンと切断状態であるオフを切り替える信号を第１の切替信号、第２の切替信号および第３の切替信号として送る。また、スイッチ動作制御部４１は、第１の経路切替スイッチ１８、第２の経路切替スイッチ１９および第３の経路切替スイッチ２０に、電気的に接続状態であるオンと切断状態であるオフを切り替える信号を第１の経路切替信号、第２の経路切替信号および第３の経路切替信号として送る。
【００２９】
給電経路制御部４２は、給電を行っている経路における異常が生じた際に他の経路からの給電に切り替える機能を有する。給電経路制御部４２は、いずれかの電源相に対応するＡＣ／ＤＣコンバータから異常検知信号を受け取ったときに、異常を検出した電源相とＡＣ／ＤＣコンバータを接続するスイッチをスイッチ動作制御部４１を介して切断する。すなわち、給電経路制御部４２は、異常が検出された電源相に対応する第１のスイッチ１５、第２のスイッチ１６または第３のスイッチ１７の電気的に切断状態、すなわち、オフとなるように各スイッチの切り替えを行う。
【００３０】
給電経路制御部４２は、異常が生じた経路の切断を行ったとき、他の２つの経路のうち消費電流値の小さい経路を判断する。給電経路制御部４２は、各電源相の経路に対応するＡＣ／ＤＣコンバータから消費電流値信号として送られてくる消費電流値のデータを保持している。給電経路制御部４２は、消費電流値の小さいと判断した経路と、異常が生じた経路とを接続する経路切替スイッチがオンとなるようにスイッチ動作制御部４１を介して制御する。
【００３１】
給電経路制御部４２は、各ＡＣ／ＤＣコンバータから送られてくる消費電流値のデータを記憶部４３に保存する。給電経路制御部４２は、各ＡＣ／ＤＣコンバータの消費電流値の平均値を算出し、最新の消費電流値の情報を保持する。消費電流値の平均値は、例えば、単位時間当たりの平均値として算出される。単位時間当たりの平均値を算出する際の期間は、出力に影響の無い範囲の揺らぎの影響を受けずに変動を検出できる期間としてあらかじめ設定されている。所定の時間当たりの平均値の情報を保持しておくことで、給電経路制御部４２は、異常が生じた際の経路の選択を短時間で行うことができる。また、本実施形態の給電経路制御部４２の機能は、第１の実施形態のスイッチ制御手段５に相当する。
【００３２】
記憶部４３は、給電経路制御部４２を介して入力されるＡＣ／ＤＣコンバータの消費電流値のデータを保存する。
【００３３】
本実施形態の電源システムの動作について説明する。始めに、本実施形態の電源システムの正常時の動作について説明する。
【００３４】
外部電源から供給されるＲ相、Ｓ相およびＴ相の互いに位相の異なる３相の交流電源は、Ｒ相電源部１１、Ｓ相電源部１２およびＴ相電源部１３を介して電源システム内に入力される。また、通常の動作時は、第１のスイッチ１５、第２のスイッチ１６および第３のスイッチ１７は、それぞれオン状態、すなわち、導通状態にある。Ｒ相、Ｓ相およびＴ相の交流電源は、各経路を介して第１のＡＣ／ＤＣコンバータ３０−１、第２のＡＣ／ＤＣコンバータ３０−２および第３のＡＣ／ＤＣコンバータ３０−３に入力される。
【００３５】
各ＡＣ／ＤＣコンバータ３０に入力された交流電源は、ＡＣ／ＤＣ変換部３１で直流電源に変換され、電源システムに接続されている情報処理装置等に供給される。また、欠相検出部３２は、ＡＣ／ＤＣ変換部３１に給電される交流電源の電圧を監視し、異常の有無を監視する。また、消費電流検出部３３は、ＡＣ／ＤＣコンバータ３０内部において消費される消費電流値を計測し、計測結果を給電制御部４０に出力する。給電制御部４０の給電経路制御部４２は、各ＡＣ／ＤＣコンバータ３０から送られてくる消費電流の計測結果の情報を記憶部４３に保存し、単位時間当たりの平均として算出した消費電流値のデータを保持する。
【００３６】
次に、本実施形態の電源システムにおいていずれかの電源相から供給される電源に異常が生じた場合の動作について説明する。図５は、本実施形態の電源システムにおいて電源の供給に異常が生じた際の動作フローを示した図である。以下では、Ｓ相に供給される電圧が低下して、Ｓ相の電源供給に異常が生じた場合を例に説明する。また、以下の説明では、Ｒ相およびＴ相は、正常に電源供給が行われ、Ｒ相に対応する第１のＡＣ／ＤＣコンバータ３０−１よりもＴ相に対応する第３のＡＣ／ＤＣコンバータ３０−３における消費電流の方が小さいものとする。
【００３７】
各ＡＣ／ＤＣコンバータ３０の欠相検出部３２は、ＡＣ／ＤＣ変換部３１に給電される交流電源の電圧を監視し、異常の有無を監視する。また、消費電流検出部３３は、ＡＣ／ＤＣコンバータ３０内部において消費される消費電流値を計測し、計測結果を給電制御部４０に消費電流値信号として出力する。
【００３８】
給電制御部４０の給電経路制御部４２は、各ＡＣ／ＤＣコンバータ３０から消費電流の計測結果の情報を消費電流値信号として受け取る。消費電流値信号を受け取ると給電経路制御部４２は、各ＡＣ／ＤＣコンバータ３０ごとの消費電流値のデータを記憶部４３に保存し、単位時間当たりの平均として算出した消費電流値のデータを保持することで監視する（ステップＳ１０１）。
【００３９】
Ｓ相の電源供給に異常が生じ（ステップＳ１０２でＹｅｓ）、第２のＡＣ／ＤＣコンバータ３０−２に入力される電圧が低下すると、第２のＡＣ／ＤＣコンバータ３０−２の欠相検出部３２は、異常が生じたことを検出する。異常を検出すると、第２のＡＣ／ＤＣコンバータ３０−２の欠相検出部３２は、異常を検出したことを示す異常検出信号を給電制御部４０に出力する。電源供給に異常が生じていない場合（ステップＳ１０２でＮｏ）、異常の有無の監視と消費電流値の計測が継続される。
【００４０】
異常検出信号が入力されると、給電制御部４０の給電経路制御部４２は、スイッチ動作制御部４１を介して、異常検出信号の送信元の第２のＡＣ／ＤＣコンバータ３０−２に対応する経路の第２のスイッチ１６をオフに切り替える（ステップＳ１０３）。第２のスイッチ１６がオフになるとＳ相からの電源の供給は、遮断され、第２のＡＣ／ＤＣコンバータ３０−２に電源が供給されない状態となる。
【００４１】
第２のスイッチ１６をオフにして異常が生じた電源相からの電源供給を停止すると、給電経路制御部４２は、電源供給元の切り替え先の経路を判断する。給電経路制御部４２は、正常に動作している電源相に対応するＡＤ／ＣＤコンバータのうちもっと消費電力値が小さいＡＤ／ＣＤコンバータを切り替え先として選択する（ステップＳ１０４）。
【００４２】
給電経路制御部４２は、第１のＡＣ／ＤＣコンバータ３０−１の消費電流と、第３のＡＣ／ＤＣコンバータ３０−３の消費電流を比較する。第３のＡＣ／ＤＣコンバータ３０−３における消費電流の方が小さいとき、給電経路制御部４２は、Ｔ相からＳ相の経路への電源の供給を選択する。Ｔ相からＳ相の経路への電源の供給を選択すると、給電経路制御部４２は、スイッチ動作制御部４１を介して、Ｔ相とＳ相の電源線を接続する第２の経路切替スイッチ１９をオンにする。
【００４３】
第２の経路切替スイッチ１９がオンになると、第２のＡＣ／ＤＣコンバータ３０−２は、Ｔ相電源部１３に接続された状態となる。すなわちＴ相電源部１３から第２のＡＣ／ＤＣコンバータ３０−２および第３のＡＣ／ＤＣコンバータ３０−３に電源が供給される（ステップＳ１０５）。
【００４４】
第２のＡＣ／ＤＣコンバータ３０−２および第３のＡＣ／ＤＣコンバータ３０−３のＡＣ／ＤＣ変換部３１は、Ｔ相から供給される電源を直流電源に変換し、情報処理装置等に出力する。
【００４５】
本実施形態の電源システムでは、各ＡＣ／ＤＣコンバータの欠相検出部３２が各相の電源の異常の有無を監視し、異常を検知したときに、給電制御部４０に異常を検出したことを示す異常検出信号を出力している。電源の異常が検知されたとき、給電制御部４０の給電経路制御部４２は、異常が検知された電源相に対応するスイッチを、スイッチ動作制御部４１を介して切断状態にし、ＡＣ／ＤＣコンバータに異常が生じた電源が入力されることを防いでいる。
【００４６】
また、給電経路制御部４２は、正常な電源が供給されているＡＣ／ＤＣコンバータのうち消費電流値が最も小さいＡＣ／ＤＣコンバータに対する電源相を選択している。給電経路制御部４２は、選択した電源相から異常が生じた電源相のＡＣ／ＤＣコンバータに電源が供給されるように対応する経路切り替えスイッチを、スイッチ動作制御部４１を介して接続状態にする。そのように制御して消費電流値が小さい電源相から異常が生じた電源相に電源を供給することで、各ＡＣ／ＤＣコンバータからの出力の変動を抑制しつつ、全てのＡＣ／ＤＣコンバータからの出力を継続することができる。各ＡＣ／ＤＣコンバータからの出力停止を防ぐことで接続されている情報処理装置等においてデータ消失等を伴うシステム停止を避けることができる。以上より、本実施形態の電源システムは、電源に異常が生じた際に、出力の変動を抑制しつつ電源の供給を継続することができる。
【００４７】
第２の実施形態では、三相四線型の電源システムを例として示しているが、電源相は、四相以上であってもよい。そのような場合には、電源相に対応する電源線間を接続する接続線と経路切替スイッチが電源相の数に応じて形成される。
【符号の説明】
【００４８】
１    スイッチ手段
２    変換手段
３    経路切替手段
４    監視手段
５    スイッチ制御手段
１１    Ｒ相電源部
１２    Ｓ相電源部
１３    Ｔ相電源部
１４    ニュートラル線
１５    第１のスイッチ
１６    第２のスイッチ
１７    第３のスイッチ
１８    第１の経路切替スイッチ
１９    第２の経路切替スイッチ
２０    第３の経路切替スイッチ
３０    ＡＣ／ＤＣコンバータ
３０−１    第１のＡＣ／ＤＣコンバータ
３０−２    第２のＡＣ／ＤＣコンバータ
３０−３    第３のＡＣ／ＤＣコンバータ
３１    ＡＣ／ＤＣ変換部
３２    欠相検出部
３３    消費電流検出部
４０    給電制御部
４１    スイッチ動作制御部
４２    給電経路制御部
４３    記憶部
【図１】
2019165565.tif 000003
【図２】
2019165565.tif 000004
【図３】
2019165565.tif 000005
【図４】
2019165565.tif 000006
【図５】
2019165565.tif 000007